【手続補正書】
【提出日】平成18年9月22日(2006.9.22)
【手続補正１】
【補正対象書類名】明細書
【補正対象項目名】特許請求の範囲
【補正方法】変更
【補正の内容】
【特許請求の範囲】
【請求項１】  入賞領域に遊技媒体が入賞すると、所定個の遊技媒体を遊技者に払い出し、特定入賞部への遊技媒体の進入により特別遊技を行い、特別遊技の結果が所定の態様になったことにもとづいて遊技者に所定の遊技価値が付与可能となる遊技機であって、
遊技の進行を制御する主制御部と情報通信制御部とが搭載された主制御基板と、
遊技機に設けられた電気部品の作動に関わる回路部と、前記主制御基板との間の情報通信を行う情報通信部とが設けられた回路基板とを備え、
前記回路基板には、前記主制御基板から遊技媒体の払出個数を示す情報としての個数信号を受信して前記電気部品としての遊技媒体の払出装置の制御を行う制御回路が設けられた払出制御基板と、前記電気部品としての表示状態が変化可能な可変表示装置の表示制御を行う表示制御回路が設けられた制御基板とが含まれ、
前記主制御基板と回路基板とはシリアルラインで通信可能に接続され、前記情報通信制御部と各々の前記回路基板における前記情報通信部とは、前記シリアルラインで情報転送を行い、
前記主制御部は、前記回路基板に情報を送信して前記回路部に各電気部品を制御させる
ことを特徴とする遊技機。
【請求項２】  入賞領域に遊技媒体が入賞すると、所定個の遊技媒体を遊技者に払い出し、特定入賞部への遊技媒体の進入により特別遊技を行い、特別遊技の結果が所定の態様になったことにもとづいて遊技者に所定の遊技価値が付与可能となる遊技機であって、
遊技の進行を制御する主制御部と情報通信制御部とが搭載された主制御基板と、
遊技機に設けられた電気部品の作動に関わる回路部と、前記主制御基板との間の情報通信を行う情報通信部とが設けられた回路基板とを備え、
前記回路基板には、前記主制御基板から遊技媒体の払出個数を示す情報としての個数信号を受信して前記電気部品としての遊技媒体の払出装置の制御を行う制御回路が設けられた払出制御基板と、前記電気部品としての遊技機に設けられている発光体の点灯制御を行う発光体制御回路が設けられた制御基板とが含まれ、
前記主制御基板と回路基板とはシリアルラインで通信可能に接続され、前記情報通信制御部と各々の前記回路基板における前記情報通信部とは、前記シリアルラインで情報転送を行い、
前記主制御部は、前記回路基板に情報を送信して前記回路部に各電気部品を制御させる
ことを特徴とする遊技機。
【請求項３】  回路基板は、どの遊技機種にも共通して使用される共通回路基板と、遊技機種に応じて使用される独自の個別基板とから構成される
請求項１または請求項２記載の遊技機。
【請求項４】  回路基板は、少なくとも所定の遊技機種のグループ毎に共用される共通回路基板であり、
前記共通回路基板は、グループにおける最大想定数のポートを有する
請求項１または請求項２記載の遊技機。
【請求項５】  主制御部に供給される情報を取り込む情報入力回路部を備え、  前記情報入力回路部は、前記主制御基板との間の情報通信を行う情報通信部を有する情報入力回路基板に搭載された
請求項１または請求項２記載の遊技機。
【請求項６】  各々の回路基板における情報通信部に対して、対応する値が割り当てられ、
主制御部は、
所定のタイミングでカウンタの値を更新するカウンタ更新手段と、
前記カウンタの値に対応する情報通信部を、シリアルラインで情報転送を行う情報通信部として選択し、選択した情報通信部との間で情報転送を行う情報転送制御手段とを含む
請求項１から請求項５のうちのいずれかに記載の遊技機。
【請求項７】  情報通信部は、回路指定情報で指定された回路部を認識可能であり、
主制御部は、各回路部に情報を送信する際に回路指定情報を出力する
請求項１から請求項６のうちのいずれかに記載の遊技機。
【請求項８】  回路指定情報は、アドレスデータであり、
主制御部は、回路部に情報を送信する際に、シリアルラインに当該回路部を指定するアドレスデータを出力してから、当該シリアルラインに情報を出力する
請求項７記載の遊技機。
【手続補正２】
【補正対象書類名】明細書
【補正対象項目名】０００８
【補正方法】変更
【補正の内容】
【０００８】
【課題を解決するための手段】
本発明による遊技機は、入賞領域に遊技媒体が入賞すると、所定個の遊技媒体を遊技者に払い出し、特定入賞部への遊技媒体の進入により特別遊技を行い、特別遊技の結果が所定の態様になったことにもとづいて遊技者に所定の遊技価値が付与可能となる遊技機であって、遊技の進行を制御する主制御部と情報通信制御部とが搭載された主制御基板と、遊技機に設けられた電気部品の作動に関わる回路部と主制御基板との間の情報通信を行う情報通信部とが設けられた回路基板とを備え、回路基板には、主制御基板から遊技媒体の払出個数を示す情報としての個数信号を受信して電気部品としての遊技媒体の払出装置の制御を行う制御回路が設けられた払出制御基板と、電気部品としての表示状態が変化可能な可変表示装置の表示制御を行う表示制御回路が設けられた制御基板とが含まれ、主制御基板と回路基板とはシリアルラインで通信可能に接続され、情報通信制御部と各々の回路基板における情報通信部とは、シリアルラインで情報転送を行い、、主制御部は、回路基板に情報を送信して回路部に各電気部品を制御させるように構成されたものである。
本発明による他の態様の遊技機は、入賞領域に遊技媒体が入賞すると、所定個の遊技媒体を遊技者に払い出し、特定入賞部への遊技媒体の進入により特別遊技を行い、特別遊技の結果が所定の態様になったことにもとづいて遊技者に所定の遊技価値が付与可能となる遊技機であって、遊技の進行を制御する主制御部と情報通信制御部とが搭載された主制御基板と、遊技機に設けられた電気部品の作動に関わる回路部と、主制御基板との間の情報通信を行う情報通信部とが設けられた回路基板とを備え、回路基板には、主制御基板から遊技媒体の払出個数を示す情報としての個数信号を受信して電気部品としての遊技媒体の払出装置の制御を行う制御回路が設けられた払出制御基板と、電気部品としての遊技機に設けられている発光体の点灯制御を行う発光体制御回路が設けられた制御基板とが含まれ、主制御基板と回路基板とはシリアルラインで通信可能に接続され、情報通信制御部と各々の回路基板における情報通信部とは、シリアルラインで情報転送を行い、主制御部は、回路基板に情報を送信して回路部に各電気部品を制御させることを特徴とする。
【手続補正３】
【補正対象書類名】明細書
【補正対象項目名】０００９
【補正方法】変更
【補正の内容】
【０００９】
回路基板は、どの遊技機種にも共通して使用される共通回路基板と、遊技機種に応じて使用される独自の個別基板とから構成されていてもよい。
また、回路基板は、少なくとも所定の遊技機種のグループ毎に共用され、グループにおける最大想定数のポートを有する共通回路基板であってもよい。
遊技機は、主制御部に供給される情報を取り込む情報入力回路部を備え、情報入力回路部は、主制御基板との間の情報通信を行う情報通信部を有する情報入力回路基板に搭載された構成であってもよい。
情報通信部は、遊技制御部からの呼出に応じて、取り込んだ情報を主制御基板に送出する構成であってもよい。
各々の回路基板における情報通信部に対して、対応する値が割り当てられ、主制御部は、所定のタイミングでカウンタの値を更新するカウンタ更新手段と、カウンタの値に対応する情報通信部をシリアルラインで情報転送を行う情報通信部として選択し、選択した情報通信部との間で情報転送を行う情報転送制御手段とを含むように構成されていてもよい。
また、主制御部は、各回路部に情報を送信する際に回路指定情報を出力するように構成されていてもよい。
回路指定情報は、アドレスデータであり、主制御部は、回路部に情報を送信する際に、シリアルラインに回路部を指定するアドレスデータを出力してから、シリアルラインに情報を出力するように構成されていてもよい。
【手続補正４】
【補正対象書類名】明細書
【補正対象項目名】０１０４
【補正方法】変更
【補正の内容】
【０１０４】
【発明の効果】
以上のように、本発明によれば、遊技機を、遊技の進行を制御する主制御部と情報通信制御部とが搭載された主制御基板と、遊技機に設けられた電気部品の作動に関わる回路部と主制御基板との間の情報通信を行う情報通信部とが設けられた回路基板とを備えた構成とし、回路基板には、主制御基板から遊技媒体の払出個数を示す情報としての個数信号を受信して電気部品としての遊技媒体の払出装置の制御を行う制御回路が設けられた払出制御基板と、電気部品としての表示状態が変化可能な可変表示装置の表示制御を行う表示制御回路が設けられた制御基板または電気部品としての遊技機に設けられている発光体の点灯制御を行う発光体制御回路が設けられた制御基板とが含まれ、主制御基板と回路基板とをシリアルラインで通信可能に接続し、情報通信制御部と各々の回路基板における情報通信部とはシリアルラインで情報転送を行い、主制御部が回路基板に情報を送信して回路部に各電気部品を制御させるように構成したので、主制御基板の流用可能性が高められて、開発コストや製造コストを低減でき、かつ、リサイクル性に優れた遊技機を提供できる効果がある。
【手続補正５】
【補正対象書類名】明細書
【補正対象項目名】０１０６
【補正方法】変更
【補正の内容】
【０１０６】
主制御部に供給される情報を取り込む情報入力回路部が備えられ、情報入力回路部が、主制御基板との間の情報通信を行う情報通信部を有する情報入力回路基板に搭載された場合には、主制御部に供給される情報を取り扱う基板を機種特有の基板とすることができ、その結果、入力側の空きをなくすことによって不正入力を防止できる効果がある。
情報入力回路基板の情報通信部が、遊技制御部からの呼出に応じて情報を主制御基板に送出するように構成されている場合には、情報通信部は情報出力タイミングを特定でき、ラッチ回路等を有することなく構成できる。
そして、主制御部が、各回路に情報を送信する際に回路指定情報を送出するように構成されている場合には、各回路基板における情報転送制御が簡略化されるとともに、回路基板を容易に増設できる。